(57)【要約】【課題】固定受信機向け放送の番組を移動体受信機向けに確実に録画できるようにする。【解決手段】番組録画装置１００は、地上デジタル放送で送信される番組データを記録するＨＤＤ１１３と、移動体受信機を対象とする移動体受信機向け放送が固定受信機を対象とする固定受信機向け放送のサイマル放送であるか否かのサイマル判定を行う判定手段およびその判定結果に応じて、固定受信機向け放送の番組データと移動体受信機向け放送の番組データとを選択的にＨＤＤ１１３に記録させる番組録画制御手段としてのＣＰＵ１１２とを有する。【選択図】図１
2008252661.tif 000002
【特許請求の範囲】
【請求項１】
地上デジタル放送で送信される番組データを記録する記録手段と、
移動体受信機を対象とする移動体受信機向け放送が固定受信機を対象とする固定受信機向け放送のサイマル放送であるか否かのサイマル判定を行う判定手段と、
該判定手段の判定結果に応じて、前記固定受信機向け放送の番組データと前記移動体受信機向け放送の番組データとを選択的に前記記録手段に記録させる番組録画制御手段とを有する番組録画装置。
【請求項２】
前記番組録画制御手段は、前記判定手段によって、前記移動体受信機向け放送が前記固定受信機向け放送のサイマル放送ではないと判定されたときに、前記固定受信機向け放送の番組データを前記記録手段に記録させる請求項１記載の番組録画装置。
【請求項３】
前記番組録画制御手段は、前記判定手段によって、前記移動体受信機向け放送が前記固定受信機向け放送のサイマル放送であると判定されたときは、前記移動体受信機向け放送の番組データを前記記録手段に記録させる請求項１または２記載の番組録画装置。
【請求項４】
前記判定手段は、前記移動体受信機向け放送の電子番組ガイドデータと前記固定受信機向け放送の電子番組ガイドデータとの比較結果に基づいて、前記サイマル判定を行う請求項１〜３のいずれか一項記載の番組録画装置。
【請求項５】
前記固定受信機向け放送の番組の映像を表示する映像表示手段を更に有する請求項１〜４のいずれか一項記載の番組録画装置。
【請求項６】
前記固定受信機向け放送の番組データを前記移動体受信機向けの放送の番組データに変換するデータ変換手段を更に有し、
前記番組録画制御手段は、前記データ変換手段により変換された前記番組データを前記記録手段に記録させる請求項１〜５のいずれか一項記載の番組録画装置。
【請求項７】
前記移動体受信機向け放送の放送波を受信する移動体受信機向け放送受信手段と、
前記固定受信機向け放送の放送波を受信する固定受信機向け放送受信手段とを更に有し、
前記番組録画制御手段は、前記固定受信機向け放送受信手段が受信した前記放送波から得られるデータを前記固定受信機向け放送の番組データとして用いる請求項１〜６のいずれか一項記載の番組録画装置。
【請求項８】
前記判定手段は、前記サイマル判定として、１つのチャンネルを複数のセグメントに分割したうちの前記セグメントの１つを用いる１セグメント放送が、前記複数のセグメントのうちの１２セグメントを用いる１２セグメント放送のサイマル放送であるか否かの判定を行い、
前記番組録画制御手段は、前記判定手段の判定結果に応じて、前記１２セグメント放送の番組データと前記１セグメント放送の番組データとを選択的に記録させる請求項１〜７のいずれか一項記載の番組録画装置。
【請求項９】
地上デジタル放送で送信される番組データを記録する記録手段を備えた番組録画装置における番組録画方法であって、
移動体受信機を対象とする移動体受信機向け放送が固定受信機を対象とする固定受信機向け放送のサイマル放送であるか否かのサイマル判定を行い、
該判定結果に応じて、前記固定受信機向け放送の番組データと前記移動体受信機向け放送の番組データとを選択的に前記記録手段に記録させる番組録画方法。
【発明の詳細な説明】
【技術分野】
【０００１】
本発明は、地上デジタル放送で送信される番組データを記録する番組録画装置および番組録画方法に関する。
【背景技術】
【０００２】
近年、地上デジタル放送や、ＢＳ（Broadcasting  Satellite）放送、１１０度ＣＳ（Communication  Satellite）放送といった衛星デジタル放送が実用化されていることに伴い、デジタル放送で送信される番組データを記録する番組録画装置が普及している。
【０００３】
ところで、地上デジタル放送では、日本国内においては、１つのチャンネルを１３のセグメント（ｓｅｇ）に分割している。これにより、セグメント単位で帯域を利用できるようになっている。そして、多チャンネル放送では、１セグメント（チャンネル）を使った移動体受信機向けの放送（以下「１セグメント放送」といい、１ｓｅｇ（ワンセグ）ともいう）を行い、残りの１２セグメントを使った固定受信機向けの１チャンネルのハイビジョン放送あるいは標準画質（ＳＤＴＶ）での３チャンネル放送を行うことができるようになっている。
【０００４】
従来、デジタル放送で送信される番組データを記録する番組録画装置に関して、例えば特許文献１には、次のような番組録画装置が開示されていた。この番組録画装置は、デジタル放送で送信されるデータを符号化方式別に受信して復調する複数のデータ受信手段を有し、複数のデータ受信手段がそれぞれ受信して復調するデータを並行して記憶装置に記憶させて番組録画を行うようになっている。
【特許文献１】特開２００５−２０４０６４号公報
【発明の開示】
【発明が解決しようとする課題】
【０００５】
ところで、従来、移動体受信機を対象とする移動体受信機向け放送（日本国内における１セグメント放送）は、据え置き型の固定受信機を対象とする固定受信機向け放送（日本国内における１２セグメント放送）のサイマル放送となっていて、番組の内容が固定受信機向け放送と同じになっていることがある。
【０００６】
しかし、移動体受信機向け放送は、固定受信機向け放送のサイマル放送であることが必須というわけでないないので、内容が固定受信機向け放送とは別の独自番組の放送も企画されている。そうすると、番組によっては移動体受信機向け放送が固定受信機向け放送のサイマル放送ではなくなってしまうため、移動体受信機向け放送を利用して固定受信機向け放送と同じ番組を録画することができなくなってしまう。
【０００７】
そこで、本発明は上記課題を解決するためになされたもので、固定受信機向け放送の番組を移動体受信機向けに確実に録画できるようにした番組録画装置および番組録画方法を提供することを目的とする。
【課題を解決するための手段】
【０００８】
上記課題を解決するため、本発明は、地上デジタル放送で送信される番組データを記録する記録手段と、移動体受信機を対象とする移動体受信機向け放送が固定受信機を対象とする固定受信機向け放送のサイマル放送であるか否かのサイマル判定を行う判定手段と、その判定手段の判定結果に応じて、固定受信機向け放送の番組データと移動体受信機向け放送の番組データとを選択的に記録手段に記録させる番組録画制御手段とを有する番組録画装置を特徴とする。
【０００９】
また、本発明は、地上デジタル放送で送信される番組データを記録する記録手段を備えた番組録画装置における番組録画方法であって、移動体受信機を対象とする移動体受信機向け放送が固定受信機を対象とする固定受信機向け放送のサイマル放送であるか否かのサイマル判定を行い、その判定結果に応じて、固定受信機向け放送の番組データと移動体受信機向け放送の番組データとを選択的に記録手段に記録させる番組録画方法を提供する。
【発明の効果】
【００１０】
以上詳述したように、本発明によれば、固定受信機向け放送の番組を移動体受信機向けに確実に録画できるようにした番組録画装置および番組録画方法が得られる。
【発明を実施するための最良の形態】
【００１１】
以下、本発明の実施の形態について説明する。なお、同一要素には同一符号を用い、重複する説明は省略する。
【００１２】
図１は本発明の実施の形態に係る番組録画装置１００の構成を示すブロック図である。本実施の形態に係る番組録画装置１００は、地上デジタル放送の番組の映像を表示する映像表示手段と、その番組の録画を制御する番組録画制御手段とを備えた据え置き型の固定受信機である。
【００１３】
なお、本実施の形態に係る番組録画装置１００は、移動体受信機向け放送である１セグメント放送の番組を受信し、固定受信機向け放送である１２セグメント放送の番組を受信するようになっている。
【００１４】
図１に示すように、番組録画装置１００は、第１、第２のデジタルチューナ１０１、１０２と、第１、第２のＯＦＤＭ（Orthogonal  Frequency  Division  Multiplexing）復調回路１０３、１０４と、第１、第２の復号回路１０５，１０６と、ＯＳＤ回路１０７とを有している。
【００１５】
また、番組録画装置１００は、Ｄ／Ａコンバータ１０８と、ＬＣＤ（Liquid  Crystal  Display）１０９と、スイッチ（ＳＷ）１１０と、メモリ１１１とを有している。
【００１６】
さらに、番組録画装置１００は、ＣＰＵ１１２と、ＨＤＤ１１３と、変換部１１４と、ＵＳＢ（Universal  Serial  Bus）ポート１１５、カードスロット１１６およびＥＰＧデコード部１１７とを有している。
【００１７】
第１、第２のデジタルチューナ１０１、１０２は、地上デジタル放送用のアンテナＡＴが受け取った放送波が供給される。そして、デジタルチューナ１０１，１０２はそれぞれアンテナＡＴから供給される放送波から、指定されたチャンネルに対応する所定周波数の信号成分を選択して受信する受信処理を行い、第１、第２の復調回路１０３、１０４に出力する。
【００１８】
ここで、第１のデジタルチューナ１０１は１２セグメント放送の放送波を受信する受信手段、第２のチューナ１０２は１セグメント放送の放送波を受信する受信手段である。また、１２セグメント放送とは、１つのチャンネルを複数のセグメント（１３のセグメント）に分割したうちの１２セグメントを用いる地上デジタル放送、１セグメント放送とは、１つのセグメントを用いる地上デジタル放送である。
【００１９】
第１、第２のＯＦＤＭ復調回路１０３、１０４は、それぞれ第１、第２のデジタルチューナ１０１、１０２によって抽出された信号成分について、所定の復調処理を施し、さらに誤り訂正等の処理を施して、それぞれデータ（詳しくはトランスポートストリーム：Transport  Stream）を生成する。生成されるデータ（トランスポートストリーム）はそれぞれ第１、第２の復号回路１０５，１０６に入力される。
【００２０】
第１、第２の復号回路１０５，１０６は、それぞれ入力されるトランスポートストリームに復号化処理を施してデジタル映像信号およびデジタル音声信号を再生する。ここで、第１の復号回路１０５は１２セグメント放送用、第２の復号回路１０６は１セグメント放送用である。
【００２１】
ＯＳＤ回路１０７は、入力されるデジタル映像信号について、ＯＳＤ（On  Screen  Display）信号を重畳して、Ｄ／Ａコンバータ１０８に出力する。このＯＳＤ信号は、ＣＰＵ１１２が生成している。
【００２２】
Ｄ／Ａコンバータ１０８は、入力されるデジタル映像信号をアナログ映像信号に変換して出力する。ＬＣＤパネル１０９は、アナログ映像信号を用いて視聴中の番組の映像を表示する映像表示手段である。
【００２３】
そして、スイッチ１１０は各種の操作スイッチを有し、メモリ１１１はＲＡＭ、ＲＯＭなどを有している。ＲＯＭには、制御プログラムやＣＰＵ１１２が実行するプログラムが書き込まれている。ＲＡＭは、ＣＰＵ１１２によるプログラムの実行に必要なワークエリアを提供し得るようになっている。
【００２４】
ＣＰＵ１１２は、メモリ１１１に記憶されている制御プログラムに従い上述の各モジュールを制御して、映像表示や音声出力などを統括する。また、ＣＰＵ１１２は、後述する番組録画プログラムにしたがい作動して、後述するモバイル向け番組録画を制御する番組録画制御手段としての機能を有している。ＣＰＵ１１２は、モバイル向け番組録画を行う場合、第１、第２のＯＦＤＭ復調回路１０３、１０４によって復調されたデータを番組データとして用いる。
【００２５】
ＨＤＤ（Hard  Disk  Drive）１１３は、第１、第２のＯＦＤＭ復調回路１０３、１０４によって復調されたデータを地上デジタル放送の番組データとして記録する記録手段としての機能を有している。
【００２６】
変換部１１４は、１２セグメント放送の番組データに対するトランスコードを実行するデータ変換手段である。本実施の形態におけるトランスコードとは、１２セグメント放送の番組データを後述する携帯端末装置２０１向けの番組データに変換することを意味している。例えば、トランスコードとは、圧縮率の変換や、解像度の変換または表示しようとする画面サイズに合わせたデータ変換などを意味している。
【００２７】
ＵＳＢポート１１５は、ＵＳＢケーブル２０３のコネクタを接続することができる。ＵＳＢポート１１５には、ＵＳＢケーブル２０３を介して携帯端末装置２０１が接続される。携帯端末装置２０１は、移動体受信機であって、例えば地上デジタル放送の番組を視聴可能な携帯電話機、ＰＤＡ（Personal  Digital  Assistants）、携帯音楽プレーヤなどである。
【００２８】
カードスロット１１６は、ＳＤメモリカード（Secure  Digital  memory  card）などのメモリカード２０２が差込まれ、その差込まれたメモリカード２０２に対するデータの読み書きを行う。メモリカード２０２には、携帯端末装置２０１向けの番組データなどが記録される。
【００２９】
ＥＰＧデコード部１１７は、第１、第２のＯＦＤＭ復調回路１０３、１０４によって復調されたデータから、そのデータに重畳されている後述するＥＰＧデータを分離抽出する。
【００３０】
次に、以上の構成を有する番組録画装置１００におけるモバイル向け番組録画について、図２，３を参照して説明する。図２は番組録画装置１００の構成要素のうちのモバイル向け番組録画にかかわる主要な構成を示すブロック図、図３はＣＰＵ１１２による番組録画プログラムにしたがったモバイル向け番組録画の動作手順を示すフローチャートである。ＣＰＵ１１２は図３に示すフローチャートに沿った動作を実行することによって、モバイル向け番組録画を実行する。
【００３１】
ここで、番組録画装置１００におけるモバイル向け番組録画とは、１セグメント放送が１２セグメント放送のサイマル放送であるか否かに基づき録画に用いるデータを切り替えて携帯端末装置２０１向けの録画を行うことを意味している。
【００３２】
このモバイル向け番組録画では、１２セグメント放送の番組データｄ１２または１セグメント放送の番組データｄ１が用いられる。ただし、番組データｄ１２が用いられる場合はＣＰＵ１１２の制御によって変換部１１４が作動して、変換部１１４によりトランスコードが行われた番組データｄ１３が携帯端末装置２０１向けの録画データＤとしてＨＤＤ１１３に記録されるようになっている。
【００３３】
そして、ＣＰＵ１１２は、スイッチ１１０に備えられたスイッチや図示しないリモコンを用いた所定の操作によって、地上デジタル放送の番組の録画を実行するように指示されたときに図３に示すフローチャートに沿ってモバイル向け番組録画を実行する。
【００３４】
ＣＰＵ１１２は、モバイル向け番組録画を開始すると、１セグメント放送のＥＰＧ（Electronic  Program  Guide）データと、１２セグメント放送のＥＰＧデータとをＥＰＧデコード部１１７から取得して、それぞれにおける指定された番組のデータを比較する（Ｓ１）。
【００３５】
ここで、ＥＰＧデータとは、電子的な番組情報である。このＥＰＧデータを用いることにより、ＬＣＤ１０９に例えば図４に示すような電子番組表１２０が表示される。また、ＥＰＧデータは規定のフォーマットにしたがって番組データに重畳されている。
【００３６】
ＥＰＧデータには、例えば、番組名、番組のジャンル、番組開始時刻、番組終了時刻、番組内容のデータなどが含まれている。１セグメント放送が１２セグメント放送のサイマル放送であるか否かは双方の番組が同じであるか否かによって判定できるので、後述するＳ２では、少なくとも番組名のデータを比較すればよい。
【００３７】
次に、ＣＰＵ１１２は、１セグメント放送のＥＰＧデータと、１２セグメント放送のＥＰＧデータとを比較する（Ｓ２）。この場合、ＣＰＵ１１２は、１セグメント放送が１２セグメント放送のサイマル放送であるか否かのサイマル判定を行う判定手段としての動作を行う。例えば、上述のとおり、ＣＰＵ１１２は、少なくとも番組名データの比較結果に基づいて、サイマル判定を行えばよいが、番組名、番組のジャンル、または放送時間の少なくとも１つに基づいて判定してもよい。番組名、番組のジャンル、放送時間の３つが一致するときは、サイマル放送である確率が高くなるため、番組名、番組のジャンル、放送時間の３つを用いると、サイマル判定を正確に行える。
【００３８】
ここで、ＣＰＵ１１２は、１セグメント放送が１２セグメント放送のサイマル放送であると判定したときはＳ３に進むが、１セグメント放送が１２セグメント放送のサイマル放送ではないと判定したときはＳ４に進む。
【００３９】
ＣＰＵ１１２は、Ｓ３に進むと１セグメント放送の番組データｄ１を携帯端末装置２０１向けの録画データＤとしてＨＤＤ１１３に記録させる。また、ＣＰＵ１１２は、Ｓ４に進むと変換部１１４に指示して、１２セグメント放送の番組データｄ１２のトランスコードを行わせる。ＣＰＵ１１２は、続いてＳ５に進み、トランスコードが行われた番組データｄ１３をＨＤＤ１１３に記録させる。この場合は、ＨＤＤ１１３に記録された番組データｄ１３が録画データＤになる。ＣＰＵ１１２は、Ｓ３またはＳ５を実行すると、モバイル向け番組録画を終了する。
【００４０】
以上のようにすることによって、１セグメント放送が１２セグメント放送のサイマル放送であるときは１セグメント放送の番組データｄ１を用いて録画データＤが生成され、１セグメント放送が１２セグメント放送のサイマル放送でないときは１２セグメント放送の番組データｄ１２を用いて録画データＤが生成されるようになっている。
【００４１】
１セグメント放送は、１２セグメント放送のサイマル放送であることが必須というわけではないので、内容が１２セグメント放送とは別の独自番組が放送されることも想定され得る。そうすると、１セグメント放送を利用して１２セグメント放送と同じ番組を録画することができなくなってしまう。
【００４２】
しかし、番組録画装置１００は１セグメント放送が１２セグメント放送のサイマル放送であるか否かに応じて録画に用いる番組データを切り替え、１セグメント放送が１２セグメント放送のサイマル放送でないときには、１２セグメント放送の番組データｄ１２を用いて録画を行っている。そのため、１２セグメント放送とは別の独自番組が１セグメント放送で放送されることがあっても（１セグメント放送が１２セグメント放送から独立した独立放送であっても）、１２セグメント放送の番組を携帯端末装置２０１向けに確実に録画できるようになっている。
【００４３】
また、番組録画装置１００は１セグメント放送が１２セグメント放送のサイマル放送であるか否かを判定し、その判定結果に基づいて、録画に用いる番組データを切り替えているから、ユーザは１セグメント放送が１２セグメント放送のサイマル放送であるか否かを気にしなくてもよい。したがって、番組録画装置１００はユーザの利便性が確保されている。
【００４４】
しかも、番組録画装置１００は１セグメント放送が１２セグメント放送のサイマル放送であるときは１セグメント放送の番組データｄ１を用いている。この場合は変換部１１４によるトランスコードを要さないから、その分、番組録画装置１００の動作が簡略化される。したがって、番組録画装置１００は携帯端末装置２０１向けに確実に録画を行えるだけでなく、必要なときにだけトランスコードを行い、動作を簡略化するようになっている。
【００４５】
また、番組データにはＥＰＧデータが重畳されており、そのＥＰＧデータを用いることによって、１セグメント放送が１２セグメント放送のサイマル放送であるか否かを判定することが可能である。
【００４６】
さらに、番組録画装置１００は１２セグメント放送の番組データｄ１２を用いて録画を行うときは、変換部１４によりトランスコードを行っている。そのため、たとえ１２セグメント放送の番組データｄ１２を用いる場合でも、得られる録画データＤは携帯端末装置２０１での番組の視聴に適したものとなっている。したがって、携帯端末装置２０１で番組を視聴する際に、録画データＤを変換しなくてもよいようになっている。
【００４７】
そして、以上のモバイル向け番組録画によって生成された録画データＤは、ＵＳＢポート１１５およびＵＳＢケーブルを介して携帯端末装置２０１に転送することができる。また、録画データＤは、カードスロット１１６に差込まれたメモリカード２０２に記録し、そのメモリカード２０２を用いて携帯端末装置２０１に取り込むこともできる。こうすることによって、携帯端末装置２０１によって録画した地上デジタル放送の番組を視聴することができる。
【００４８】
さらに、図示はしないが、１セグメント放送が１２セグメント放送のサイマル放送であるときには、１セグメント放送の番組データｄ１に加えて１２セグメント放送の番組データｄ１２をＨＤＤ１１３に記録させてもよい。このとき、ＨＤＤ１１３に記録される番組データｄ１２はＬＣＤ１０９を用いた視聴（主に家庭内での視聴）用のデータとして用いることができる。この場合、上述のＳ３に続いて、ＣＰＵ１１２が番組データｄ１２をＨＤＤ１１３に記録させればよい。
【００４９】
なお、以上の実施の形態では、地上デジタル放送の番組の映像を表示する映像表示手段と、その番組の録画を行う番組録画制御手段とを備えた録画機能付のテレビジョンを例にとって説明している。ただし、本発明は、映像表示手段を備えないＤＶＤレコーダ、ＨＤＤレコーダなどの番組録画装置についても適用することができる。
【００５０】
また、以上の実施の形態における番組録画装置１００は、１セグメント放送の番組を受信する受信手段と、１２セグメント放送の番組を受信する受信手段とを備えている。受信手段は、移動体受信機向け放送または固定受信機向け放送を受信することができればよく、１セグメント放送および１２セグメント放送とは別方式の放送を受信する受信手段を備えてもよい。例えば、１つのチャンネルの周波数帯域をセグメントに分けることなく行われる移動体受信機向け放送と固定受信機向け放送とを受信する受信手段でもよい。
【００５１】
この場合、ＣＰＵ１１２は、固定受信機向け放送の番組データと移動体受信機向け放送の番組データとを選択的にＨＤＤ１１３に記録させればよい。
【００５２】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５３】
【図１】本発明の実施の形態に係る番組録画装置の構成を示すブロック図である。
【図２】番組録画装置の構成要素のうちのモバイル向け番組録画にかかわる主要な構成を示すブロック図である。
【図３】番組録画プログラムにしたがったモバイル向け番組録画の動作手順を示すフローチャートである。
【図４】ＥＰＧデータを用いてＬＣＤパネル１０９に表示される電子番組表の一例を示す図である。
【符号の説明】
【００５４】
１００…番組録画装置、１０１…第１のデジタルチューナ
１０２…第２のデジタルチューナ、１０９…ＬＣＤパネル
１１４…変換部、１１７…ＥＰＧデコード部
【図１】
2008252661.tif 000003
【図２】
2008252661.tif 000004
【図３】
2008252661.tif 000005
【図４】
2008252661.tif 000006